【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
ポストミックス飲料注出システムであって、
頂壁、底壁、第１の側壁、第２の側壁、背壁、及び前扉を有するハウジングであって、前記ハウジングは、
水槽、氷バンク、コイルパック、及び第１の蒸発器コイルを有する第１の区画と、
濃縮物源、氷貯蔵箱、第２の蒸発器コイル、及び蒸発器ファンを有する第２の区画と、
カーボネータポンプ、カーボネータタンク、圧縮機、凝縮器コイル、及び凝縮器ファンを有する第３の区画と、を含む、ハウジングと、
前記第１の区画及び前記第２の区画内の温度を低減するために前記ハウジング内に全体が配設された冷凍システムであって、前記冷凍システムは、前記第１の蒸発器コイル、前記第２の蒸発器コイル、前記蒸発器ファン、前記圧縮機、前記凝縮器コイル、及び前記凝縮器ファンを含む、冷凍システムと、
注出ノズルと、を含み、
前記水槽からの水は、前記第２の蒸発器コイルに循環され、
前記コイルパックは、水導管、炭酸水導管、及び濃縮物導管を含み、
前記濃縮物導管は、前記濃縮物源及び前記注出ノズルに流体的に接続されている、ポストミックス飲料注出システム。
【請求項２】
前記炭酸水導管は、前記カーボネータタンク及び前記注出ノズルに流体的に接続されている、請求項１に記載のポストミックス飲料注出システム。
【請求項３】
前記カーボネータポンプは、前記カーボネータタンク内で水と二酸化炭素とを組み合わせて炭酸水を生成し、
前記炭酸水は、前記炭酸水導管に流入する、請求項１に記載のポストミックス飲料注出システム。
【請求項４】
氷分配機構と、
前記扉の氷開口部であって、前記氷分配機構は、前記氷貯蔵箱からの氷を前記氷開口部に移動させる、氷開口部と、を更に備える、請求項１に記載のポストミックス飲料注出システム。
【請求項５】
前記頂壁は、着脱可能に前記ハウジングに取り付けられ、前記頂壁が取り除かれたときに前記氷貯蔵箱へのアクセスを可能にする、請求項１に記載のポストミックス飲料注出システム。
【請求項６】
前記頂壁は、前記背壁、第１の側壁、及び第２の側壁のうちの１つにヒンジ式に接続され、前記頂壁が開放位置にあるときに前記氷貯蔵箱へのアクセスを可能にする、請求項１に記載のポストミックス飲料注出システム。
【請求項７】
前記ハウジング内に位置決めされて、前記濃縮物導管を通して濃縮物を移動させるポンプを更に備える、請求項１に記載のポストミックス飲料注出システム。
【請求項８】
前記第２の区画に位置決めされた第２の濃縮物源を更に備え、
前記コイルパックは、第２の濃縮物導管を含み、
前記第２の濃縮物導管は、前記第２の濃縮物源及び第２の注出ノズルに流体的に接続されている、請求項１に記載のポストミックス飲料注出システム。
【請求項９】
前記ハウジングは、前記濃縮物源を保持する第１の内部構造と、
前記第２濃縮物源を保持する第２の内部構造と、を含み、前記第２の内部構造は、前記第１の内部構造の下方に位置決めされている、請求項８に記載のポストミックス飲料注出システム。
【請求項１０】
前記第２の区画に位置決めされた第３の濃縮物源を更に備え、
前記コイルパックは、第３の濃縮物導管を含み、
前記第３の濃縮物導管は、前記第３の濃縮物源及び第３の注出ノズルに流体的に接続されている、請求項８に記載のポストミックス飲料注出システム。
【請求項１１】
前記濃縮物源は、前記ハウジングから取り外し可能である、請求項１に記載のポストミックス飲料注出システム。
【請求項１２】
前記冷凍デッキ及び炭酸化デッキは、前記水槽に浸漬され、前記ハウジングから取り外し可能に構成されている、請求項１に記載のポストミックス飲料注出システム。
【請求項１３】
断熱されたハウジングと、
前記断熱されたハウジング内に位置づけされた冷凍システムであって、前記冷凍システムは、第１の蒸発器コイル、前記第１の蒸発器コイルと直列の第２の蒸発器コイル、蒸発器ファン、圧縮機、凝縮器コイル、及び凝縮器ファンを含む、冷凍システムと、希釈液導管内の飲料希釈液であって、前記希釈液導管の一部は、前記第１の蒸発器コイル、水槽、及び氷バンクによって冷却される、飲料希釈液と、
前記第２の蒸発器コイル及び前記蒸発器ファンによって冷却される前記ハウジングの内部領域内に位置決めされた濃縮物容器内の飲料濃縮物と、
前記ハウジングの前記内部領域内に位置決めされた氷貯蔵箱と
前記氷貯蔵箱から氷を注出する氷搬送機構と、を備える、ポストミックス飲料注出システム。
【請求項１４】
前記濃縮物容器は、使い捨てである、請求項１２に記載のポストミックス飲料注出システム。
【請求項１５】
前記ハウジングの前記内部領域内に位置決めされた第２の濃縮物容器内の第２の飲料濃縮物、を更に備え、
前記第１の濃縮物容器の容積は、前記第２の濃縮物容器の容積よりも大きい、請求項１２に記載のポストミックス飲料注出システム。
【請求項１６】
カーボネータポンプと、
カーボネータタンクと、を更に備え、
前記カーボネータポンプは、前記カーボネータタンク内の第２の飲料希釈液に二酸化炭素を付加して、炭酸希釈液を生成する、請求項１２に記載のポストミックス飲料注出システム。
【請求項１７】
前記炭酸希釈液は、前記カーボネータタンクを出て、炭酸希釈液導管に入り、
前記炭酸希釈液導管の一部は、前記第１の蒸発器コイル、前記水槽、及び前記氷バンクによって冷却される、請求項１５に記載のポストミックス飲料注出システム。
【請求項１８】
ポストミックス飲料注出システムから飲料を注出するための方法であって、
水槽、氷槽、コイルパック、及び冷凍システムの第１の部分を有する、第１の内部区画と、
濃縮物容器内の濃縮物、氷貯蔵箱内の氷、及び冷凍システムの第２の部分を有する第２の内部区画と、
冷凍システムの第３の部分を有する第３の内部区画と、を含む、断熱されたハウジングを提供することと、
前記濃縮物容器を前記断熱されたハウジング上に位置決めされた注出ノズルに流体的に接続することと、
希釈液源を前記断熱されたハウジング内の希釈液導管に流体的に接続することであって、前記希釈液導管の一部は、前記コイルパック内の前記第１の内部区画を通過する、流体的に接続することと、
前記希釈液導管を前記注出ノズルに流体的に接続することと、
前記飲料濃縮物と前記希釈液源からの希釈液とを前記注出ノズルで混合して飲料を注出することと、を含む、方法。
【請求項１９】
前記氷貯蔵箱から氷を注出することを更に含む、請求項１８に記載の方法。
【請求項２０】
前記第３の内部区画内のカーボネータポンプ及びカーボネータタンクを提供することと、
前記希釈液導管及び前記カーボネータタンクに流体的に接続されたプリ炭酸希釈液導管を提供することと、
前記カーボネータタンク内の希釈液に二酸化炭素を加えて、炭酸希釈液を生成することと、
前記カーボネータタンク及び前記注出ノズルに流体的に接続されたポスト炭酸希釈液導管を提供することと、
前記飲料濃縮物と前記炭酸希釈液とを前記注出ノズルで混合して炭酸飲料を注出することと、を更に含む、請求項１８に記載の方法。
【請求項２１】
前記ポスト炭酸希釈液導管の一部は、前記コイルパック内の前記第１の内部区画を通過する、請求項２０に記載の方法。
【手続補正２】
【補正対象書類名】明細書
【補正対象項目名】００２８
【補正方法】変更
【補正の内容】
【００２８】
【図１８】本発明の様々な態様に基づいた飲料注出システムの正面図である。
【手続補正３】
【補正対象書類名】明細書
【補正対象項目名】００３４
【補正方法】変更
【補正の内容】
【００３４】
背壁１５０、側壁１３０及び１４０、頂壁１１０、内部水平壁１８１、並びに内部縦壁１８２は、内部区画１８４を画定することができる。本発明の態様において、内部区画１８４は、圧縮機５０１、凝縮器コイル５０２、並びに凝縮器ファンモータ及びファン５０４を含む冷凍システムの部分を包含することができる。内部区画１８４は、カーボネータポンプ５３２及びカーボネータタンク５３０を包含することもできる。
【手続補正４】
【補正対象書類名】明細書
【補正対象項目名】００５０
【補正方法】変更
【補正の内容】
【００５０】
別の態様では、図１３に示すように、冷却区画１６４内の蒸発器コイル５１０は、追加の冷却パワーのために遠隔グリコールシステムによって冷却することができる。更なる態様では、図１３に示すように、蒸発器コイル５１０は、水槽５１８及び氷バンク５１４から冷水を流す再循環ポンプ５１１によって冷却することができる。
【手続補正５】
【補正対象書類名】明細書
【補正対象項目名】００５９
【補正方法】変更
【補正の内容】
【００５９】
本発明の一態様において、飲料注出システム１０は、１つ以上の濃縮物源４００及び１つ以上の濃縮物源４０２を含むことができる。更なる態様において、飲料注出システム１０は、３つの濃縮物源４００及び３つの濃縮物源４０２を含むことができる。ポンプ３２０は、それぞれ、弁４０４を介して及び濃縮物導管４１０ａ〜４１０ｆを介して、濃縮物源４００及び４０２から濃縮物４０３ａ〜４０３ｆを移動させることができる。本発明の一態様において、濃縮物導管４１０ａ〜４１０ｆは、水槽ハウジング１８６内の水槽５１８内のコイルパック５１６内へ移ることができ、濃縮物４０３ａ〜４０３ｆは、低い温度、例えば、華氏約３２度に冷却される。一態様において、濃縮物導管４１０ａ〜４１０ｆは、コイルパック５１６内の濃縮物４０３ａ〜４０３ｆの容積を増加させるために、コイルパック５１６内に多数の密接に離間したターンを有することができる。濃縮物導管４１０ａ〜４１０ｆは、コイルパック５１６を出て、冷却された濃縮物４０３ａ〜４０３ｆをノズル２２０に送達することができ、そのためそれぞれの濃縮物を、希釈液又は炭酸希釈液と共に使用者の容器、カップ、又は水差しに注出して、飲料を注出することができる。